(57)【要約】　　　（修正有）清掃機の外寸法を変化させることにより、大口径、中口径、小口径の種別を問わず汚水管、雨水管、暗渠等の既設地下埋設物に付着あるいは蓄積した汚物を削剥し、硬化した汚物はさらに破砕し、清掃することができ、また、清掃機は遠隔操作により抗外にて操作するので既設地下埋設物内の悪臭、ガスの滞留時においても作業可能であり、コスト削減も期待できる自在姿勢確保特殊キャタピラ及び堅固汚物破砕具及び後部回転清掃具を備えた既設管路清掃機を提供する。【解決手段】先導刃口１８にクラッシング下部歯板を埋設し、回転輪甲１０に回転輪乙１１を周設し、回転輪乙にブラシ部材１２を配設し、清掃機前面１３に前方確認窓１４、昇降ガイド板１５、昇降ガイド板留柱１６、汚物収集コンベアー１７、先導刃口１８にクラッシング下部歯板、堅固汚物破砕具を設け、清掃機側面２０に自在姿勢確保特殊キャタピラ、清掃機後面２１に後部回転清掃具を配設する。【選択図】図１
0003096885.tif 000002
【実用新案登録請求の範囲】
【請求項１】
前・後進キャタピラ（１）に二連ローラー（２）を設けた自在姿勢確保特殊キャタピラ。
【請求項２】
クラッシング上部昇降部材（３）に昇降凹部（４）を刻設し、Ｌ部材（５）を設け、Ｌ部材（５）にクラッシング上部支持部材（６）を設け、クラッシング上部支持部材（６）にクラッシング上部（７）を固着し、クラッシング上部（７）にクラッシング上部歯板（８）を埋設、昇降ガイド部材受凹部（９）を設け、先導刃口（１８）にクラッシング下部歯板（１９）を埋設した堅固汚物破砕具。
【請求項３】
回転輪甲（１０）に回転輪乙（１１）を周設し、回転輪乙（１１）にブラシ部材（１２）を配設した後部回転清掃具。
【請求項４】
清掃機前面（１３）に前方確認窓（１４）、昇降ガイド板（１５）、昇降ガイド板留柱（１６）、汚物収集コンベアー（１７）、先導刃口（１８）、先導刃口（１８）にクラッシング下部歯板（１９）、請求項２に記載した堅固汚物破砕具を設け、清掃機側面（２０）に請求項１に記載した自在姿勢確保特殊キャタピラ、清掃機後面（２１）に請求項３に記載した後部回転清掃具を配設した自在姿勢確保特殊キャタピラ及び堅固汚物破砕具及び後部回転清掃具を備えた既設管路清掃機。
【考案の詳細な説明】
【０００１】
【考案の属する技術分野】
本考案は、汚水管、雨水管、暗渠等の既設地下埋設物に付着あるいは蓄積した汚物を削剥したり、硬化した汚物はさらに破砕し、ブラシで清掃するためのものであり、詳しくは自在姿勢確保特殊キャタピラ及び堅固汚物破砕具及び後部回転清掃具を備えた既設管路清掃機に関するものである。
【０００２】
【従来の技術】
従来、この種の技術としては、比較的小口径の地下埋設物にはブラシを使って清掃したり、大口径の地下埋設物に対しては人力により剥ぎ取る方法が知られている。
【０００３】
【考案が解決しようとする課題】
従来の技術で述べたもののうち前者においては、ブラシを使った清掃のため堅固な汚物が清掃できないという問題点を有していた。
【０００４】
また、後者においては、直接作業員が地下埋設物の中で作業するので悪臭・ガスが蓄積されており、さらに酸素が希薄となっているので、酸素欠乏症が誘発されるという安全対策上の問題や、コスト高となるという問題点を有していた。
【０００５】
本考案は、従来の技術の有するこのような問題点に鑑みてなされたものであり、その目的とするところは、大口径、中口径、小口径の種別を問わず汚水管、雨水管、暗渠等の既設地下埋設物に付着あるいは蓄積した汚物を削剥したり、硬化した汚物はさらに破砕し、ブラシで清掃するという優れた自在姿勢確保特殊キャタピラ及び堅固汚物破砕具及び後部回転清掃具を備えた既設管路清掃機を提供しようとするものである。
【０００６】
【課題を解決するための手段】
上記目的を達成するために、本考案における自在姿勢確保特殊キャタピラ及び堅固汚物破砕具及び後部回転清掃具を備えた既設管路清掃機は前・後進キャタピラに二連ローラーを設け、クラッシング上部昇降部材に昇降凹部を刻設し、Ｌ部材を設け、Ｌ部材にクラッシング上部支持部材を設け、クラッシング上部支持部材にクラッシング上部を固着し、クラッシング上部にクラッシング上部歯板を埋設、昇降ガイド部材受凹部を設け、先導刃口にクラッシング下部歯板を埋設し、回転輪甲に回転輪乙を周設し、回転輪乙にブラシ部材を配設し、清掃機前面に前方確認窓、昇降ガイド板、昇降ガイド板留柱、汚物収集コンベアー、先導刃口、先導刃口にクラッシング下部歯板、堅固汚物破砕具を設け、清掃機側面に自在姿勢確保特殊キャタピラ、清掃機後面に後部回転清掃具を配設してなるものである。
【０００７】
クラッシング上部歯板、クラッシング下部歯板はたとえば、砕石場のジョークラッシャに使用されているような超硬質の鋼材を使用することが好ましい。
【０００８】
【考案の実施の形態】
考案の実施の形態について図面を参照にして説明する。
図１〜図４において、前・後進キャタピラは厚さ１０ｍｍ程度を有する鋼板を用い、略Ｉ字形に切断され、二連ローラー用の穴が二つ設けられており、二連ローラーは硬質ゴムが使用され、成形機にて略円柱状に形成されており、二連ローラーの穴内に内設されている。クラッシング上部昇降部材は、一辺が５０ｍｍの角鋼棒、厚み１５ｍｍの鋼板を用い、各々切断して左右に角鋼棒、正面、裏面、天板、底面に鋼板を使用して略長方形に溶接されており、さらに角鋼棒には横巾２５ｍｍ、縦巾２０ｍｍ、深さ２０ｍｍ程度の昇降凹部が旋盤にて刻設されている。そして、厚み１５ｍｍ程度の鋼板を使用してＬ部材、クラッシング上部支持部材、クラッシング上部部材は略Ｌ形、クラッシング上部支持部材は略台形、クラッシング上部は略カマボコ状に形成されているが、クラッシング上部には底部に超硬材が使用されたクラッシング上部歯板が溶接され、奥には昇降ガイド部材受凹部が切断、溶接加工されている。後部回転清掃具は上述と同様に１０ｍｍ〜１５ｍｍ程度の厚みを有する鋼板が用いられ、回転輪甲、回転輪乙と切断、溶接によりドーナツ状に形成され、回転輪乙にはワイヤー製のブラシが溶着されている。そして、清掃機本体は厚み３ｍｍ〜６ｍｍ程度の鋼板が使用され、板金加工によって前面、側面、後面と形成されており、前面には厚み２０ｍｍ程度の鋼板が用いられた昇降ガイド板が溶着され、φ１５０ｍｍ程度の円形前方確認窓が設けられ、略円柱の昇降ガイド板留柱が溶着され、鋼板を用い鋸の刃状に形成された先導刃口が溶着され、先導刃口の中心部に超硬材を使用したクラッシング下部歯板が溶接され、クラッシング上部、汚物収集コンベアーが係設されている。側面には自在姿勢確保特殊キャタピラが設けられ、後面には回転輪が設けられている。
【０００９】
二連ローラーは硬質ゴムだけでなく、アルミ等金属系を使用してもよく、たとえばアルミ等金属系の表面に硬質ゴムを被覆するなど用途により使い分けてもよい。
【００１０】
クラッシング上部歯板、クラッシング下部歯板は砕石場等で使用されているジョークラッシャの歯板を使用すればよい。
【００１１】
回転輪に設けられたブラシはワイヤー製だけでなく、既設地下埋設物の材質、清掃表面の耐用強度により、たとえば強化ガラス系、強化プラスチック系等を使用すればよい。
【００１２】
また、既設地下埋設物の口径が変化する場合、先導刃口、ブラシ、自在姿勢確保特殊キャタピラの角度をかえて対応すればよいが、口径の変化が大きく対応が困難な場合は、既設管路清掃機の外寸法を変化させて製作すればよい。
【００１３】
クラッシング上部は、油圧機を取り付けピストンにて昇降させるが、場合によっては電動モーターに減速機を取り付け、歯車を昇降凹部に噛み合わせて昇降させてもよい。
【００１４】
そして、回転輪も上述と同様に基本的には油圧駆動で回転させるが、電動モーターに減速機を取り付けて回転させてもよい。
【００１５】
既設地下埋設物の内部には、水が充満されていることが想定されるので、防水機能が備えられている。
【００１６】
また、既設地下埋設物の内部には、可燃ガスも上述と同様に充満されていることが想定されるので、防爆機能となっている。
【００１７】
クラッシング部で破砕した汚物が、目詰りのため清掃機内に取り込めないことも予測されるので、たとえば、クラッシング上部の上昇時には、クランク式の目詰り除去具が清掃機内から露出して汚物を押出し、クラッシング上部が下降時には、目詰り除去具は清掃機内に納められるという装備となっている。
【００１８】
また、清掃機内に取り込まれた汚物は、地上に設置されたバキューム車から人孔内はスパイラルホース、既設地下埋設物内は塩化ビニール管と連続して接続され、坑内から坑外に排出処理される。
【００１９】
そして、上述のスパイラルホース、塩化ビニール管は用途により３インチ〜８インチとすればよい。
【００２０】
【考案の効果】
本考案は、上述のとおり構成されているので、次に記載する効果を奏する。
【００２１】
清掃機の外寸法を変化させることにより、大口径、中口径、小口径の種別を問わず汚水管、雨水管、暗渠等の既設地下埋設物に付着あるいは蓄積した汚物を削剥し、硬化した汚物はさらに破砕し、既設地下埋設物の材質によってはブラシの材質を変えることができるので口径、管種、汚物の硬化に関係なく清掃することが期待できる。また、人命尊重、安全第一を考慮した本清掃機は遠隔操作により抗外にて操作するので既設地下埋設物内の悪臭、ガスの滞留時においても作業可能であり、人力作業と対比して能率的なことや悪臭、ガス処理に要する費用等を考慮すればコスト削減も期待できる。
【図面の簡単な説明】
【図１】清掃機の斜視図である。
【図２】自在姿勢確保特殊キャタピラの斜視図である。
【図３】クラッシング上部昇降部材、昇降凹部、Ｌ部材、クラッシング上部支持部材、クラッシング上部、クラッシング上部歯板の斜視図である。
【図４】クラッシング上部昇降部材、Ｌ部材、クラッシング上部支持部材、クラッシング上部、先導刃口、クラッシング下部歯板の断面図である。
【符号の説明】
１．前・後進キャタピラ
２．二連ローラー
３．クラッシング上部昇降部材
４．昇降凹部
５．Ｌ部材
６．クラッシング上部支持部材
７．クラッシング上部
８．クラッシング上部歯板
９．昇降ガイド部材受凹部
１０．回転輪甲
１１．回転輪乙
１２．ブラシ部材
１３．清掃機前面
１４．前方確認窓
１５．昇降ガイド板
１６．昇降ガイド板留柱
１７．汚物収集コンベアー
１８．先導刃口
１９．クラッシング下部歯板
２０．清掃機側面
２１．清掃機後面
【図１】
0003096885.tif 000003
【図２】
0003096885.tif 000004
【図３】
0003096885.tif 000005
【図４】
0003096885.tif 000006
【手続補正書】
【提出日】平成15年4月4日(2003.4.4)
【手続補正１】
【補正対象書類名】明細書
【補正対象項目名】実用新案登録請求の範囲
【補正方法】変更
【補正の内容】
【実用新案登録請求の範囲】
【請求項１】
前・後進キャタピラ（１）に二連ローラー（２）を設けた自在姿勢確保特殊キャタピラを備えた既設管路清掃機。
【請求項２】
クラッシング上部昇降部材（３）に昇降凹部（４）を刻設し、Ｌ部材（５）を設け、Ｌ部材（５）にクラッシング上部支持部材（６）を設け、クラッシング上部支持部材（６）にクラッシング上部（７）を固着し、クラッシング上部（７）にクラッシング上部歯板（８）を埋設、昇降ガイド部材受凹部（９）を設け、先導刃口（１８）にクラッシング下部歯板（１９）を埋設した堅固汚物破砕具を備えた既設管路清掃機。
【請求項３】
回転輪甲（１０）に回転輪乙（１１）を周設し、回転輪乙（１１）にブラシ部材（１２）を配設した後部回転清掃具を備えた既設管路清掃機。
【請求項４】
清掃機前面（１３）に前方確認窓（１４）、昇降ガイド板（１５）、昇降ガイド板留柱（１６）、汚物収集コンベアー（１７）、先導刃口（１８）、先導刃口（１８）にクラッシング下部歯板（１９）、請求項２に記載した堅固汚物破砕具を設け、清掃機側面（２０）に請求項１に記載した自在姿勢確保特殊キャタピラ、清掃機後面（２１）に請求項３に記載した後部回転清掃具を配設した自在姿勢確保特殊キャタピラ及び堅固汚物破砕具及び後部回転清掃具を備えた既設管路清掃機。